Podtech/llm-jp-corpus-v4-ja_patent huggingface dataset:
(57)【要約】【課題】園芸栽培用設備において、地下部（根群域）及び地上部（作物群落）の環境を総合的に調節することを特徴とする群落・根圏調節システムを提供する。【解決手段】ハウス内の空気を送風して地下の根群域に酸素を供給するための地下送風管と、根群域で発生した炭酸ガスを前記地下送風管を経由して地上の作物群落に送風するための地上送風管を設けた。また、前記地下送風管及び前記地上送風管の送風制御によって、炭酸ガス環境の制御、温湿度の制御、及び水（湿度）の制御を行う群落・根圏調節システムとする。【選択図】図１
2019136021.tif 000002
【特許請求の範囲】
【請求項１】
園芸栽培用設備において、温湿度調節された空気を送風して地下の根群域に酸素を供給するための地下送風管と、根群域で発生した炭酸ガスを前記地下送風管を経由して地上の作物群落に送風するための地上送風管を設けたことを特徴とする作物環境送風装置。
【請求項２】
前記作物環境送風装置を用いて、地下送風管及び前記地上送風管の送風制御によって、炭酸ガス環境の制御、温湿度の制御、及び水（湿度）の制御を行う、地下部（根群域）及び地上部（作物群落）の環境を総合的に調節することを特徴とする群落・根圏調節システム。
【発明の詳細な説明】
【技術分野】
【０００１】  園芸栽培用設備に関する。
【背景技術】
【０００２】  関連技術として、温室内の温度、湿度及び炭酸ガス濃度を作物の必要なレベルで調節可能な温室の空調システムを供給する文献の開示がある。（例えば、特許文献１参照）
【先行技術文献】
【特許文献】
【０００３】
【特許文献１】特開２０１５−１４２５１３号公報
【発明の概要】
【発明が解決しようとする課題】
【０００４】  特許文献１は、地中に埋設した空気流路となる地中管に関しての記載があるが、温室に費やす燃料費を節約する目的の空調システムであって、炭酸ガス濃度の調節については具体的な言及はない。
これまで発明者らは、従来のハウス用生産設備として暖房機、炭酸ガス発生器、潅水設備、室内ファン、ミスト散水設備など個別の目的に合わせ各種設備を設置し、室内の環境調節を行ってきた。しかし、地下部の環境を調節する適切な設備はなかった。
【課題を解決するための手段】
【０００５】  前記課題を解決するため、本発明は、園芸栽培用設備において、温湿度調節された空気を送風して地下の根群域に酸素を供給するための地下送風管と、根群域で発生した炭酸ガスを前記地下送風管を経由して地上の作物群落に送風するための地上送風管を設けたことを特徴とする作物環境送風装置とする。
また、前記作物環境送風装置を用いて、前記地下送風管及び前記地上送風管の送風制御によって、炭酸ガス環境の制御、温湿度の制御、及び水（湿度）の制御を行う、地下部（根群域、根圏とも言う）及び地上部（作物群落）の環境を総合的に調節することを特徴とする群落・根圏調節システムとするのが好ましい。
【発明の効果】
【０００６】  本発明によって次のような効果がある。
地中送風の効果として、地中の酸素濃度を上げ、地中から炭酸ガスを排出させ、地中の温度を安定させることができる。地上送風の効果として、地中から排出された炭酸ガスを葉面に転流させることにより、蒸散活性化し、根からの栄養を吸いやすくなる。また、株元の熱だまりを改善し、病害虫の予防をすることができる。以上の効果から栽培物の生育速度の上昇、製品率の向上が期待される。
養液栽培の園芸施設よりも“節水型で低コストな設備”と“維持費を抑えた運用が可能な園芸施設”が実現できると予想される。
【図面の簡単な説明】
【０００７】
【図１】本発明の設備の説明図である。
【図２】本発明を用いたシステムの説明図である。
【発明を実施するための形態】
【０００８】  本発明を実施する形態を図１、図２によって詳細に説明する。
【実施例】
【０００９】  図１に本発明の作物環境送風装置を示す。図に示すように、作物栽培ハウス内の地中に地中送風管１１が埋設されて設けられ、地上には地上送風管１２が設けられる。地中送風管１１は、その入り口部が略垂直に設けられた幹管１３の下部に接続されて設けられ、地面と平行で水平に必要に応じて適宜の本数が適宜の長さで平行に設けられる。
地上送風管１２はその入り口部が幹管１３の地面から適宜高さの部分に接続されて設けられ、地面と平行で水平に必要に応じて適宜の本数が適宜の長さで平行に設けられる。【００１０】  幹管１３の上部にハウス内の温湿度調節された空気を吸引し地下送風管に送風する地中送風管送風機１４が設けられる。地中送風管送風機１４によって送られた空気は幹管１３を通して地中送風管に送られ、地下送風管の全周で全長に亘って設けられた地中送風管通気孔１１ａを通して地中部に送風される。地中送風管１１を埋設する位置は、作物の根群域を考慮して土面から適宜の深さにする。【００１１】  地上送風管１２と幹管１３の接続部に流路切替弁１６が設けられ、地上送風管１２の適宜箇所に設けられた地上送風管送風機１５によって地中の炭酸ガスを含む気体を地中送風管を通して幹管１３から地上送風管に送風される。この時、流路切替弁１６は地上送風管１２の入り口部を開口し幹管上部への流路を閉口している。なお、地下送風管に送風する際は流路切替弁１６は地上送風管１２の入り口部を閉口する。
地上送風管には適宜方向に全長に亘って設けられた地上送風管通気孔１２ａを通して地上の作物群落に送風される。地上送風管１２を設置する位置は、作物群落の高さを考慮して作物群落からあまり離れずに適宜の距離の高さとする。【００１２】  つぎに、図２において、作物環境送風装置を用いた群落・根圏調節システムを説明する。
計測環境としてハウス外要因とハウス内要因があり、ハウス外要因計測環境としては、日射量、気温、湿度、風速、降雨、地温，被覆面温度など、ハウス内要因としては、日射量、気温、湿度、炭酸ガス、土壌塩類濃度（ＥＣ値）、土壌ｐＨ、地温、土壌水分、作物体情報（映像）が考えられ、必要に応じてこれらのセンサーを設置して、その計測値を計測・制御盤に入力する。【００１３】  つぎに、計測・制御盤による制御値を制御環境に出力して制御する。制御環境として、設備関係と送風関係があり、設備関係は、窓開閉、カーテン開閉機、暖房機、炭酸ガス発生器、地表潅水機（潅水、液肥）、屋上流水（冷暖房）など、送風関係は、送風システム（地上、地下）、ミスト発生器、（地下／潅水・液肥）噴霧器（地上・加温・液肥葉面撒布）、などが考えられる。これら計測・制御の監視・制御には種々の通信機能が活用できる。【００１４】  本システムは、地下部（根群域、根圏）及び地上部（作物群落）の環境を総合的に調節し、作物のステージに合わせた制御により育成状況に応じた栽培により、慣行栽培と比べて収穫量増が期待できる。
【符号の説明】
【００１５】１    作物環境送風装置
２    群落・根圏調節システム
１１  地中送風管
１１ａ  地中送風管通気孔
１２  地上送風管
１２ａ  地上送風管通気孔
１３  幹管
１４  地中送風管送風機
１５  地上送風管送風機
１６  流路切替弁
Ａ  作物栽培ハウス
Ｂ  ハウス内大気
Ｃ  土中
Ｄ  作物群落
Ｅ  根群域
【図１】
2019136021.tif 000003
【図２】
2019136021.tif 000004
(57)【要約】【課題】これまでトンネル栽培の支柱立ては、素手で手指に力をこめて畝の両側に突っ込んでいたが、何本もの支柱を突っ込むのは、大変で手指を痛くしていた。それと言うのも支柱が細くて掴みにくいからで、掴み易くしたら楽に効率よく作業できる。【選択図】図１
2019136022.tif 000002
【特許請求の範囲】
【請求項１】
支柱立て具本体（１）で、蝶番様軸（３）に、防滑材（７）付きの可動の板状部（２）及び板状部（２ａ）と一連する防滑材（７）付きの半円筒状部（４）及び半円筒状部（４ａ）とを設けたことを特徴とするトンネル栽培の支柱立て具。
【発明の詳細な説明】
【技術の分野】
【０００１】本発明は、トンネル栽培の支柱立て具に関する。
【背影の技術】
【０００２】これまでトンネル栽培の支柱立ては、素手で手指に力をこめて畝の両側に深く突っ込んでいたが何本もの支柱を突っ込むのは大変で手指を痛くしていた。
【先行技術】
【０００３】特開平１０−０７５６６７  特開２００６−０１４６３３  特開２００５−０２１０１３
【発明の概要】
【０００４】
【発明が解決しようとする課題】
【０００５】従来、トンネル栽培の支柱を素手で手指に力を込めて土中に突っ込むのには支柱が細い為に手指に掴みにくいから、掴み易くしたら楽に効率よく作業ができる。
【課題を解決する為の手段】
【０００６】図面にもとづいて説明します。（１）は支柱立て具本体。（２）及び（２ａ）は、支柱立て具本体（１）の板状部で、（３）は、蝶番様軸で、板状部（２）及び（２ａ）と蝶番様軸（３）とは蝶番様に稼働状態で繋げてある。更に板状部（２）は半円筒状部（４）と一連であり、板状部（２ａ）は半円筒状部（４ａ）と一連である。半円筒状部（４）の下辺には突出部（５）を設けて更に適当部位に指挿入部（６）を設けた。半円筒状部（４ａ）の下辺には、突出部（５ａ）を設けて更に適当部位に指挿入部（６ａ）を設けた。（７）は防滑材で、板状部（２）及び（２ａ）の表面と、半円筒状部（４）及び（４ａ）の表面とに施してある。これで蝶番様軸（３）を軸として、板状部（２）及び（２ａ）が可動して、板状部（２）及び（２ａ）の間に支柱を挟む。それでトンネル栽培の支柱を、なるべく支柱立て具本体（１）の蝶番様軸（３）に近く挟んだ方が支柱立て具本体（１）の板状部（２）及び（２ａ）の間に支柱を挟むテコの力が大きいから、蝶番様軸（３）に近くで支柱を挟み更に地面から適当な高さ位置で挟んで突出部（５）も押さえながら押し込む。
【発明の効果】
【０００７】以上の如く本発明の支柱立て具本体（１）で支柱を挟むことで、支柱を押し込む時の支柱の腰を補強しながら支柱を土中へ押し込むことができるから、防滑材（７）の滑り止め効果と相まって、力も入れ易く押し込み易い。半円筒状部（４）及び（４ａ）が半円筒状だから手になじみ掴み易い。指挿入部（６）及び（６ａ）があるから、手が弛んでも支柱立て具本体（１）を落すことがない。又、蝶番様軸（３）を中心に板状部（２）及び板状部（２ａ）を開閉もできる。吊り部（９）では腰に紐で吊るして移動もできる。
【実施例】
【０００８】図２は実施例で、トンネル栽培の支柱は、細い支柱は４ｍｍ〜５ｍｍの太さで、太いのは２０ｍｍくらいの太さもあるから、なるべく蝶番様軸（１）の近くで挟める様に、曲げ部（８）を蝶番様軸（３）と板状部（２）の間に設けた。
【図面の簡単な説明】
【０００９】
【図１】は、本発明の斜視図である。
【図２】は、本発明の実施例の斜視図である。
【産業上利用の可能性】
【符号の説明】
【０００１０】（１）は、支柱立て具本体。
（２）及び（２ａ）は、板状部。
（３）は、蝶番様軸。
（４）及び（４ａ）は、半円筒状部。
（５）及び（５ａ）は、突出部。
（６）及び（６ａ）は、指挿入部。
（７）は、防滑材。
（８）は、曲げ部。
（９）は、吊り部。
【図１】
2019136022.tif 000003
【図２】
2019136022.tif 000004
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
支柱立て具本体（１）で、蝶番様軸（３）に、防滑材（７）付きの可動の板状部（２）及び板状部（２ａ）と一連する防滑材（７）付きの半円筒状部（４）及び半円筒状部（４ａ）とを設け、板状部（２）と板状部（２ａ）との間に、トンネル栽培の支柱を挟んで押し込めるようにしたことを特徴とするトンネル栽培の支柱立て具。
(57)【要約】      （修正有）【課題】牡蠣及び魚貝類を高圧から低圧に減圧することで顆粒化行う際に、ポン菓子製造機のような爆音を出さずに顆粒化する方法を提供する。【解決手段】適宜に加熱し、適宜な湿度の、牡蠣及び魚貝類１４を、空気圧が高圧の加圧窯１から、空気圧が低圧の低圧窯２に、瞬時に移動させることで、空気の膨張に伴い、牡蠣及び魚貝類１４は気圧差で組織が膨張して発泡し、細胞間に空気を取り込み、顆粒化する製造方法で、空気の混合は、加圧窯１と低圧窯２が連結構造の一体化構造の中で起こるために爆音が小さい事を特徴とする。【選択図】図１
2019136020.tif 000002
【特許請求の範囲】
【請求項１】
空気圧が高圧の加圧窯（１）と空気圧が低圧の低圧窯（２）を，連結した構造の一体化構造とし、加圧窯（１）内に入れた、適宜に加熱され適宜な湿度を持たせた牡蠣および魚貝類（１４）を、瞬時に低圧窯（２）に移動させることで空気の膨張に伴い、牡蠣及び魚貝類（１４）は、組織が膨張して細胞間に空気を取り込んで顆粒化する、その際、空気の混合は一体化構造の中で起こるために爆音が外に出ない、牡蠣および魚貝類（１４）の顆粒化製造方法。
【発明の詳細な説明】
【技術分野】
【０００１】本発明は、牡蠣及び魚貝類を，空気が高圧の加圧窯から、空気が低圧の低圧窯に瞬時に移動させることで、顆粒化させる製造方法に関するものである。
【背景技術】
【０００２】現状では牡蠣及び魚貝類の顆粒化製品は、牡蠣及び貝類を乾燥して粉にし、２次加工により顆粒化製品としている。
【先行技術文献】
【発明の概要】
【発明が解決しようとする課題】
【０００３】爆音を出さずに牡蠣及び魚貝類の顆粒化を行い、湯水に溶け易い特性の牡蠣及び魚貝類の顆粒化製品を使った応用製品を作る事を課題とする。
【課題を解決するための手段】
【０００４】適宜に加熱し，適宜な湿度を持たせた牡蠣及び魚貝類を、連結し一体化した加圧窯と低圧窯の、加圧窯から低圧窯に瞬時に移させることで、組織が急膨張して発泡し、細胞間に多くの空気を取り込み、顆粒化させる。【０００５】加圧窯と低圧窯は連結した一体化構造としてあり、空気の移動は一体化された、加圧窯と低圧窯の中で起る為に、空気が外に漏れず、爆音が発生しない。
【発明の効果】
【０００６】顆粒化した牡蠣及び魚貝類は、湯水に溶け易いために、別の乾燥野菜と組み合せた即席汁物などの応用製品が出来る。【０００７】牡蠣及び魚貝類の顆粒化時の空気移動は、連結構造の一体化された加圧窯と低圧窯の中で行はれるために、空気が外に漏れず爆音が小さい事が特徴である。
【図面の簡単な説明】
【０００８】
【図１】本発明の応用例で、一体構造とした加圧鍋（１）と低圧窯（２）を側面から見た断面図。
【図２】ロック機構（１２）の位置が下がり、加圧窯（１）内の高圧空気が、低圧窯（２）に移動する際に、開閉扉（１０）が開いた状態を示す断面図。
【図３】牡蠣及び魚貝類（１４）を入れる加圧窯（１）の、加圧鍋蓋（５）の正面図。
【図４】顆粒化した牡蠣及び魚貝類（１４）を取り出す、低圧窯（２）の低圧鍋蓋（６）の正面図。
【発明を実施するための形態】
【０００９】以下、発明の実施形態を図１〜図４に基いて説明する。
図１では、加圧窯（１）と低圧窯（２）が一体化構造で構成されている応用例を示す。
加圧窯（１）には、高圧圧力計（１６）付きの加圧ポンプ（３）が取り付けられている。
低圧窯（２）には、低圧圧力計（１７）及び減圧ポンプ（１８）が取り付けられている。
加圧窯（１）にはパッキン（９）付の加圧鍋蓋（５）があり、牡蠣及び魚貝類（１４）を牡蠣及び魚貝類置台（１５）の上に置き、加圧鍋蓋（５）を加圧鍋蓋締付具（７）で締め付ける。
加圧窯（１）と低圧窯（２）の間に中間壁（４）がある。
中間壁（４）の中心部には、中間窓（１３）がある。
中間窓（１３）に接してパッキン（９）付きの開閉扉（１０）があり、開閉扉軸（１１）をを中心に開閉する。
ロック機構棒（１２）があり、上に上げると、開閉扉（１０）が開かない様にロックする。
ロック機構棒（１２）を下に下げると、ロックが外れて、開閉扉（１０）は開くようになる。
図２では、ロック機構棒（１２）が下に下がり、加圧窯（１）の高圧空気が、低圧の低圧窯（２）に移動する際に、移動する空気の空気圧により、開閉扉（１０）が開いた状態を示している。
図１の、加圧窯（１）の、加圧窯蓋（５）を取り外して、牡蠣及び魚貝類（１４）を牡蠣及び魚貝類（１４）を、牡蠣及び魚貝類置台（１５）の上に置き、加圧鍋蓋（５）を取り付けて加圧鍋蓋締付具（７）で締め付け、加圧ポンプ（３）を動作させ、加圧鍋（１）内の空気圧を上げる。
図１の、低圧窯蓋（６）は顆粒化した、牡蠣及び魚顔類（１４）を低圧窯（２）から取り出す時に開けるが、低圧窯蓋（６）の締め付けは低圧窯蓋締付具（８）で行う。
牡蠣及び魚貝類（１４）の顆粒化には、加圧釜（１）と低圧釜（２）間の空気圧力差が８〜１０気圧（８〜１０ＫＰａ）程度必要で、加圧ポンプ（３）で加圧する。
【００１０】加圧窯（１）の容積と高圧力との積と、低圧窯（２）の容積と負圧力との積が、同じ値の場合には加圧窯（１）と低圧窯（２）の空気が混合すると、大気圧となる。
【００１１】低圧窯（２）の容積が大きい程、低圧窯（２）内のマイナス圧力が小さくなる。
【００１２】本発明の応用例で、減圧ポンプ（１８）を省略し、低圧窯（２）の空気圧を大気圧とし、低圧窯（２）の容積を加圧窯（１）の２０倍と大きくしたために加圧窯（１）と低圧窯（２）の混合後の空気圧は、大気圧を僅か超える程度となつた。
【符号の説明】
【００１３】１    加圧窯
２    低圧窯
３    加圧ポンプ
４    中間壁
５    加圧窯蓋
６    低圧窯蓋
７    加圧窯蓋締付具
８    低圧窯蓋締付具
９    パッキン
１０  開閉扉
１１  開閉扉軸
１２  ロック機構棒
１３  中間窓
１４  牡蠣及び魚貝類
１５  牡蠣及び魚貝類置台
１６  高圧圧力計
１７  低圧圧力計
１８  減圧ポンプ
【図１】
2019136020.tif 000003
【図２】
2019136020.tif 000004
【図３】
2019136020.tif 000005
【図４】
2019136020.tif 000006
(57)【要約】      （修正有）【課題】暗くて狭い場所を好むペットが出入りし易い筒部を設けた筒部付きペット用ベッドを提供する。【解決手段】前部に出入口のあるペット用のベッド１は、クッション部２の上方に半ドーム形状の屋根３が設けられており、屋根３は半ドーム形状を保てる硬度のウレタン等で、ベッド１の後方には、ペットが通行口５を通って自由に行き来できる筒状に狭まった筒部４が一体に延設されており、筒部４のベッド１とは反対側の端にはペット自身が自由に出られる出口６が設けられている。【選択図】図２
2019136017.tif 000002
【特許請求の範囲】
【請求項１】
ペット用のベッドに、ペットが直接ベッドから自由に出入りできる筒部を一体又は着脱自在に設け、筒部にペットが自身で自由に出られる出口を設けた筒部付きペット用ベッド。
【請求項２】
前記出口が、ペットの通過時以外は閉じている請求項１記載の筒部付きペット用ベッド。
【発明の詳細な説明】
【技術分野】
【０００１】  本発明は、室内で飼う犬や猫等のペット用のベッドに関するものである。
【背景技術】
【０００２】  従来、犬や猫等のペットは狭い所や暗い所を好むので、クッションに穴を設けてペットが入るようにしたものがあった。
【発明の概要】
【発明が解決しようとする課題】
【０００３】  これには、次のような欠点があった。
穴がペットの大きさへの順応性に乏しく、入り難く出難かった。
また、穴の出入口が空いたままなので暗さは無かった。
本発明は、以上の問題点を解決するためになされたものである。
【課題を解決するための手段】
【０００４】  室内で飼っている犬や猫等のペット用のベッドに、ベッドから直接自由に出入りできる通行口でつながった筒部を一体又は着脱自在に設け、ベッド側とは違う筒部の端に、ペットが自身で出られる出口を設けたものである。【０００５】  また、前記出口がペットが通る時以外は閉じられているものである。
【発明の効果】
【０００６】  ペットはベッドから筒状に狭まった筒部に楽に出入りできる上、暗さも保たれるので居心地が好い。
【図面の簡単な説明】
【０００７】
【図１】  従来品の斜視図
【図２】  本発明の実施例１の側面図
【図３】  本発明の実施例１の使用側面図
【図４】  本発明の実施例２の正面図
【図５】  本発明の実施例２の側面図
【図６】  本発明の実施例３の側面図
【図７】  本発明の実施例３の分解図
【図８】  本発明の実施例４の側面図
【図９】  本発明の実施例４の背面図
【図１０】  本発明の実施例４の使用側面図
【発明を実施するための形態】
【０００８】  以下、本発明の幾つかの実施の形態を図１〜図１０に基づいて説明する。
【実施例１】
【０００９】  図２、図３において、前部に出入口のあるペット用のベッド１は、クッション部２の上方に半ドーム形状の屋根３が設けられており、屋根３は半ドーム形状を保てる硬度のウレタン等である。【００１０】  ベッド１の後方には、ペットが通行口５を通って自由に行き来できる筒状に狭まった筒部４が一体に延設されており、筒部４のベッド１とは反対側の端にはペット自身が自由に出られる出口６が設けられている。【００１１】  ベッド１の表面は筒部４と同一素材のキィルテング布で被われており、出口６はペットが通る時以外は布がへたって自然に閉じられている。
出口６の大きさは猫や小型犬が通れる程度の大きさになっている。【００１２】  ペットはベッド１から筒部４に楽に入ることができ、筒部４は筒状で暗いのでペットは居心地が好く、且つペット自身で出ることができる。
また、冬場はこたつ１５の中に筒部４を入れておけば、ペットは自身で楽にこたつ１５の中に入って暖まることができる。
【実施例２】
【００１３】  図４、図５において、実施例１と同様のものの、出口６にゴムひも７を通し、ベッド１の前部の出入口にカーテン８を面ファスナー９で着脱自在に設けたものである。
【実施例３】
【００１４】  図６、図７において、前部に出入口のあるペット用のベッド１はスポンジで、クッション部２の上方に半ドーム形状の屋根３が設けられており、屋根３には半ドーム形状を保つためのワイヤー等の心１２が設けられている。【００１５】  ベッド１の後方には通行口５が設けられており、通行口５０と出口６のある筒部４が設けられている。
筒部４の通行口５０部がベッド１の通行口５部に、面ファスナー１０により着脱自在に取り付けられており、ペットはベッド１から筒部４に自由に行き来できる。【００１６】  ベッド１の前部の出入口上部には、ペットがじゃれて遊べるような鈴の付いた遊びひも１３が面ファスナー１１により着脱自在に設けられている。
心１２は板状等でもよく、筒部４を取り外した通行口５にふた等を設けてもよい。
【実施例４】
【００１７】  図８、図９、図１０において、周囲の一部に通行口５を設けた猫等のペットのベッド１の通行口５には、出口６のある長い筒状の筒部４が設けられている。
ベッド１の通行口５が筒部４の通行口となっており、ペットはベッド１から筒部４に自由に行き来することができる。
ベッド１と、筒部４の床に接する部分はスポンジで表側は布で被われている。【００１８】  出口６は布がへたって自然に閉じられておりペットの体が入ると開き、通り抜けられる。
また、ベッド１の底部には、筒部４にペットが入る時にベッド１が引きずられないように重り効果のある板１４が設けられている。【００１９】  なお、筒部４の全体をスポンジ等にしてもよく、その場合、筒部４の出口６をゴムひも等で縮めたりしてもよい。【００２０】  以上、幾つかの実施例を説明したが、ベッドや筒部の形状や素材や大きさは上記実施例に限らずどのようなものでもよい。【００２１】  また、ペットが出られる筒部の出口を閉じる方法もどのような方法でもよく、出口からも入れるようにしてもよい。
【符号の説明】
【００２２】１              ベッド
２              クッション部
３              屋根
４              筒部
５、５０        通行口
６              出口
７              ゴムひも
８              カーテン
９、１０、１１  面ファスナー
１２            心
１３            遊びひも
１４            板
１５            こたつ
【図１】
2019136017.tif 000003
【図２】
2019136017.tif 000004
【図３】
2019136017.tif 000005
【図４】
2019136017.tif 000006
【図５】
2019136017.tif 000007
【図６】
2019136017.tif 000008
【図７】
2019136017.tif 000009
【図８】
2019136017.tif 000010
【図９】
2019136017.tif 000011
【図１０】
2019136017.tif 000012
(57)【要約】【課題】捕まえた鳥獣や小動物等をケースに移す際、逃がしたり、怪我させたり、させられることなく安全に捕獲することができる網を提供する。【解決手段】網本体１に円錐形のネット部３の中間部に中空となる保持輪６を取り付け、左右から紐７を取り出し両手で引っ張ることによりネット部３が絞られ、コードストッパー８で閉鎖するものである。【選択図】図１
2019136018.tif 000002
【特許請求の範囲】
【請求項１】
竿の先端に設けられる口径が円形又は半円形型の枠と、その枠に取り付けられる円錐形のネット部からなり、そのネット部の中間を引っ張り絞る絞り部を設けることを特徴とする捕虫網。
【請求項２】
前記ネット部の中間に設けられる絞り部は、中空状の保持輪を設け、左右の通し穴から紐を通し、左右の方向から引っ張り絞ることを特徴とする請求項１記載の捕虫網。
【請求項３】
前記絞り部に形成される紐にコードストッパーを取り付けることを特徴とする請求項１及び請求項２に記載の捕虫網。
【発明の詳細な説明】
【技術分野】
【０００１】虫のみでなく鳥獣や小動物等を捕獲の為に作られた捕虫網に関する。
【背景技術】
【０００２】一般に捕虫網は、枠の口径に虫等を捕獲するための円錐形のネットが取り付けられており、また枠に設けられた持ち手となる握り棒とからなるものが知られている。【０００３】捕虫網の枠は、一般に円形に作られ、その用途により枠の口径は大小からなっている。【０００４】捕虫網の口径の枠に取り付けられた円錐形のネットは、捕獲する虫、鳥獣や小動物等の大きさにより、奥行の長さも長短となる。【０００５】また、捕獲された虫、鳥獣や小動物等を捕虫網から取り出す際、開口部の枠に隙間が生じたりすることにより、逃げられることもあった。【０００６】また、捕虫網の口径から捕獲した獲物が虫のように取り出し易いものに限らず、爪を立てる動物であれば怪我に注意が必要となり、捕まえた小動物に対しても、押えつけたり、乱暴に布等を被せたりすることにより怪我をさせる可能性が発生する。
【発明が解決しようとする課題】
【０００７】本発明は捕虫網となる枠の口径から捕獲された昆虫に限らず、比較的大きな鳥獣や小動物等も捕手に触れることなく安定した状態で安全に取り出し次の作業に移すことを目的とする。
【課題を解決するための手段】
【０００８】本発明は竿の先端に設けられる口径が円形又は半円形型の枠と、この枠に取り付けられる円錐形のネット部からなり、そのネット部の中間を引っ張り絞る絞り部を設けることを特徴とするものである。
【０００９】前記、ネット部の中間に形成された絞り部に中空状の保持輪を設け、左右の通し穴から紐を通し左右方向から引っ張り絞ることとする。
【００１０】また紐にはコードストッパーを取り付け、左右から絞り込んだところで強固にかつ安定して固定するものである。
【発明の効果】
【００１１】捕まえた状態で枠に取り付けられた円錐形からなるネットの中間部を紐で絞り逃げ口を閉鎖することで、慌てることなく作業を安全に進めることが可能となる。
【図面の簡単な説明】
【図１】本発明に係る捕虫網の正面図である。
【図２】円形の枠に本発明に係るネットを取り付けた側面図である。
【図３】ネット部の中間部分を絞りこんだ状態を示す略示図である。
【図４】半円形の枠の変形例を示す斜視図である。
【図５】円形の枠に奥行きの浅い本発明に係るネットを取り付けたネット部の変形例を示す斜視図である。
【発明を実施するための形態】
【００１２】本発明に係わる捕虫網は、図１ないし図５に示すように、竿９の先端に設けられる口径が円形又は半円形の枠２と、この枠２に取り付けられる円錐形のネット部３から形成され、そのネット部３の中間に引っ張り絞り込む絞り部４を設け、この絞り部４によって捕獲された虫、鳥獣や小動物等の収容部５を形成している。
【００１３】絞り部４は、円錐形のネット部３の中間部に全長にわたって中空となっている保持輪６が形成され、紐７が左右から入出可能とする通し穴を設け、捕獲した際、この紐７を引っ張ることによって絞られ、絞り部４によって閉鎖し収容部５が形成される。
【００１４】前記、網本体１は、図１に示すようにネット部３の素材はナイロンが主流で金具の枠２の口径に合わせて取り付けられている。
【００１５】また、竿９の長さは１２０ｃｍからが一般的で素材はジュラルミン、竹等が使われている。
【００１６】本発明に係る円錐形のネット部３の中間部に中空となっている保持輪６に左右に通した紐７にコードストッパー８を取り付けることにより、紐７を左右に引っ張って絞った際、その状態を確実に固定することができる。
【００１７】コードストッパー８によってネット部３を絞った状態で固定することにより捕まえた鳥獣や小動物を逃がすことなく安全に次の作業が可能となる。
【００１８】また、鳥獣や小動物が角にいる状況での捕獲は、枠２が円形の場合、地面に接するところが限られ、ネット部３内への入れ込みが困難となる。
【００１９】図４の網本体１の枠２を半円形にすることにより、角にいる鳥獣や小動物を捕まえる際に、側面と地面に接する網本体１の底面に角ができることにより、脇から逃げずらくすることができる。
【００２０】また、図５のように本発明の奥行きが短いネット部３は、枠２を中心に左右に移動しやすい為、左右に移ったネット部３の側面に紐７を取り出す通し穴を１ヶ所設けることにより、ネット部３の方向を気にすることなく絞った絞り部４を形成することが可能となる。
【００２１】コードストッパー８で固定することにより、獲物を捕獲ケースに入れた状況と同じになるため、捕獲ケースがなくても持ち運ぶことができる。
【符号の説明】１  −−−網本体
２  −−−枠
３  −−−ネット部
４  −−−絞り部
５  −−−収容部
６  −−−中空となっている保持輪
７  −−−紐
８  −−−コードストッパー
９  −−−竿
【図１】
2019136018.tif 000003
【図２】
2019136018.tif 000004
【図３】
2019136018.tif 000005
【図４】
2019136018.tif 000006
【図５】
2019136018.tif 000007
(57)【要約】【課題】均質な歯応えのある食感が得られるいぶり大根の漬物を主原料とする加工食品を提供する。【解決手段】いぶり大根の漬物から皮部分を分離して皮無漬物を得る工程と、前記皮無漬物を塩抜きし塩抜き漬物を得る工程と、前記塩抜き漬物を調味料含浸処理する工程と、前記調味料含浸処理した漬物を乾燥させる工程と、を含む加工食品の加工方法、および皮部分が分離されたいぶり大根の漬物の乾燥物であって、調味液で味付けされたことを特徴とする加工食品である。【特許請求の範囲】
【請求項１】
いぶり大根の漬物から皮部分を分離して皮無漬物を得る工程と、
前記皮無漬物を塩抜きし塩抜き漬物を得る工程と、
前記塩抜き漬物を調味料含浸処理する工程と、
前記調味料含浸処理した漬物を乾燥させる工程と、を含む加工食品の加工方法。
【請求項２】
皮部分が分離されたいぶり大根の漬物の乾燥物であって、調味液で味付けされたことを特徴とする加工食品。
【請求項３】
含水率が１５〜２５％であることを特徴とする請求項２記載の加工食品。
【発明の詳細な説明】
【技術分野】
【０００１】        本発明はいぶり大根の漬物を主原料にした加工食品及びその加工方法に関する。
【背景技術】
【０００２】  いぶり大根の漬物を主原料にした加工食品として、出願人は先にいぶり大根を輪切りスライスし塩抜き処理後乾燥する加工食品を提案した（特許文献１）。
【先行技術文献】
【特許文献】
【０００３】
【特許文献１】特開２０１０−２５９４１７号
【発明の概要】
【発明が解決しようとする課題】
【０００４】  先に提案した加工食品はいぶり大根の漬物を輪切りしているので皮部がその他部に比べ固く食感が一様でなく、更に加工しようとした場合には皮部が硬くなり過ぎる問題があった。
【課題を解決するための手段】
【０００５】  本発明その一は、いぶり大根の漬物から皮部分を分離して皮無漬物を得る工程と、前記皮無漬物を塩抜きし塩抜き漬物を得る工程と、前記塩抜き漬物を調味料含浸処理する工程と、前記調味料含浸処理した漬物を乾燥させる工程と、を含む加工食品の加工方法である。
本発明その二は、皮部分が分離されたいぶり大根の漬物の乾燥物であって、調味液で味付けされたことを特徴とする加工食品である。
本発明その三は、含水率が１５〜２５％であることを特徴とする前記加工食品である。【０００６】  いぶり大根の漬物とは、大根を燻煙乾燥させて作る漬物である。この実施形態では、秋田県産の大根を、秋田こまちの米ぬかを使い、昔ながらの製法で手間ひまかけて、じっくり漬け込んだいぶり大根の漬物であり、その一般的な製法は大根を天井から吊るし、下から薪等を焚いてその煙で燻製にさせ、米ぬかと塩、砂糖で最低５０日以上漬け込んでなる漬物を言う。
【発明の効果】
【０００７】いぶり大根漬の皮部を含まないいぶり大根漬を使用することにより、調味液の浸透と乾燥にバラツキがなく、一定の味、均質な食感および適度な歯応えのある加工食品を提供することができる。
本発明により、いぶり大根漬より歯応えのある均質な加工食品が出来、よく噛むことによって、脳に流れる血液量が増え、子供は脳が発達し、大人は物忘れの予防につながる。また、口の周りの筋肉を使うことで、あごの発達を促す。
【発明を実施するための形態】
【０００８】  以下、本発明の形態を実施例に基づいて説明する。
【実施例】
【０００９】まず、いぶり大根の漬物から皮部分を分離する。いぶり大根の漬物を約５〜１０ｃｍの間隔で輪切りにする。輪切りにした切断面にほほ垂直に切断具を挿入し皮無漬物を得る。この実施形態では、切断具として長い中空円筒状の道具でくり抜くが、円筒状でない三角状、四角状、その他多角形状、星状、ハート状などいろんな形状の中空筒状切断具が使用できる。
その皮無漬物をボウルなどの容器に入れて、皮無漬物が浸るように水を張り、４時間から５時間の間で、大根の色を見ながら、容器に張った水を３〜４回取り換えることを繰り返す。大根の色が茶色っぽい色から白っぽい黄土色になるのを目安にする。この工程でいぶり大根の漬物から塩分を減らすことになる。
この後、処理された大根を手または絞り機で絞って余分な水分を切り、塩抜き漬物を得た。【００１０】  次に、調味料含浸処理をする。この実施例では、塩抜き漬物１０００ｇに対し、醤油２５０ｇ、水８０ｇ、中双糖２３０ｇ、塩２０ｇ、カレー粉７ｇの割合で混合して調味液とし、沸騰寸前まで加熱して火を止め、調味液が熱いうちに、塩抜き漬物を投入する。全体によく混ぜ合わせ、冷蔵庫の中で４８時間保管する。この工程を経ることにより、皮を含まないいぶり大根のカレー味の調味料含浸処理した漬物を得た。
尚、本発明で使用する調味液は上記の組成に限定されず、様々な味の調味液を使うことができる。【００１１】  次に、冷蔵庫から取り出した調味料含浸処理後の漬物を手または絞り機で絞り余分な調味液を切る。
その後、それを乾燥機にかけ、含水率が１５〜２５％となるまで乾燥させる。この実施例では、含水率が２０％のものを得た。
また、ここで行う乾燥には、温風乾燥機を用いる場合、庫内温度を７０℃、乾燥時間を５時間から６時間かけて行うことにより実現できる。但し、本発明においては温風乾燥機による乾燥方法に限定することなく、天日乾燥はもとより冷風乾燥による乾燥方法を用いてもよく、乾燥方法に関して限定しないものである。
尚、含水率が１４％以下になると、食感がパサパサとなり歯応えがありすぎるようになり、含水率が２６％以上では十分な歯応えが無くなり、適度な歯応えを有するのは含水率が１５％〜２５％の範囲である。【００１２】  このようにして得られた加工食品は、皮のあるものに比べ、外観色が均一であり、かつ均質な食感および適度な歯応えのある加工食品となった。
(57)【要約】【課題】製造コストを抑えること。【解決手段】ノズル１０は、円筒１２の上端が噴流の上流側に配されかつ円筒１２の下端が噴流の下流側に配されるように、フューエルインジェクタの噴射孔に設けられる。また、円筒１２の内側に設けられた傾斜部１４ａおよび１４ｂは、円筒１２の軸回りの同一方向に下り勾配をなす斜面ＳＬ１およびＳＬ２をそれぞれ有し、かつ円筒１２の内周面に接するように湾曲した外側面を有する。【選択図】図１
2019027333.tif 000002
【特許請求の範囲】
【請求項１】
フューエルインジェクタの噴射孔に設けられる金属製のノズルであって、
噴流の上流側に配される上端と前記噴流の下流側に配される下端とを有する円筒および、
前記円筒の軸回りの同一方向に下り勾配をなす斜面と前記円筒の内周面に接するように湾曲した側面とを各々が有して前記円筒の内側に設けられた複数の傾斜部を備える、ノズル。
【発明の詳細な説明】
【技術分野】
【０００１】
この発明は、フューエルインジェクタの噴射孔に設けられる円筒状のノズルに関する。
【背景技術】
【０００２】
この種のフューエルインジェクタ用ノズルが、非特許文献１および特許文献１に開示されている。これらの文献によれば、噴霧に旋回流れまたは遠心力を与えて霧化を促進するべく、様々なスワール噴孔が提案されている。
【先行技術文献】
【特許文献】
【０００３】
【特許文献１】特開２００９−１５６１２９号公報
【非特許文献】
【０００４】
【非特許文献１】「ポート噴射エンジン用多孔スワールインジェクタによる噴霧の微粒化に関する研究」、日本機械学会論文集、Vol.81、No.831
【発明の概要】
【発明が解決しようとする課題】
【０００５】
しかし、非特許文献１では、噴孔の形状が複雑であるため、エンドミルによる削り出しが必要になる。また、特許文献１では、互いに異なる角度をなすように噴孔を加工する必要がある。したがって、いずれのスワール噴孔も加工に手間がかかり、製造コストが増大するという問題がある。
【０００６】
それゆえに、この発明の主たる目的は、製造コストを抑えることができる、フューエルインジェクタ用ノズルを提供することである。
【課題を解決するための手段】
【０００７】
この発明に係るノズルは、フューエルインジェクタの噴射孔に設けられる金属製のノズルであって、噴流の上流側に配される上端と噴流の下流側に配される下端とを有する円筒および、円筒の軸回りの同一方向に下り勾配をなす斜面と円筒の内周面に接するように湾曲した側面とを各々が有して円筒の内側に設けられた複数の傾斜部を備える。
【発明の効果】
【０００８】
ノズルは、円筒の上端が噴流の上流側に配されかつ円筒の下端が噴流の下流側に配されるように、フューエルインジェクタの噴射孔に設けられる。また、円筒の内側に設けられた複数の傾斜部の各々は、円筒の軸回りの同一方向に下り勾配をなす斜面と、円筒の内周面に接するように湾曲した側面とを有する。
【０００９】
したがって、噴射孔から放出された噴霧は複数の斜面によって旋回し、これによって霧化が促進される。また、ノズルは金属製であり、上述のようなノズル構造は精密鋳造または精密鍛造を可能とする。これによって、製造コストの抑制が図られる。
【００１０】
この発明の上述の目的，その他の目的，特徴および利点は、図面を参照して行う以下の実施例の詳細な説明から一層明らかとなろう。
【図面の簡単な説明】
【００１１】
【図１】この実施例のノズルの構造の一例を示す斜視図である。
【図２】（Ａ）は図１に示すノズルを上方から眺めた状態を示す上面図であり、（Ｂ）は図１に示すノズルを下方から眺めた状態を示す下面図である。
【発明を実施するための形態】
【００１２】
図１，図２（Ａ），図２（Ｂ）を参照して、この実施例のノズル１０は、図示しないフューエルインジェクタの噴射孔に設けられる金属製のノズルであって、貫通孔ＯＰ１が形成された円筒１２を本体とする。噴射孔に接触ないし対向するのは円筒１２の上端であり、円筒１２の下端は開放端となる。したがって、フューエルインジェクタから放出された噴霧は、円筒１２の上端から下端に向かって流れる。
【００１３】
円筒１２の内側には、斜面ＳＬ１およびＳＬ２をそれぞれ有する傾斜部１４ａおよび１４ｂが形成される。ここで、傾斜部１４ａおよび１４ｂの各々の高さは、円筒１２の上端から下端までの長さと一致する。また、斜面ＳＬ１およびＳＬ２は、円筒１２の上端面に対して同一角度で傾斜し、かつ円筒１２の軸回りの同一方向に下り勾配をなす。
【００１４】
円筒１２の上端側または下端側から眺めて、傾斜部１４ａおよび１４ｂは、互いに離間するように設けられる。したがって、円筒１２の下端に存在する物体の少なくとも一部は、円筒１２の上端側から貫通孔ＯＰ１を通して視認可能となる。また、図２（Ｂ）から分かるように、傾斜部１４ａおよび１４ｂの各々の底面は、円筒１２の下端面に対して面一となる。
【００１５】
傾斜部１４ａは、円筒１２の中心軸側に面する内側面と、円筒１２の内周面側に面する外側面とを有する。同様に、傾斜部１４ｂも、円筒１２の中心軸側に面する内側面と、円筒１２の内周面側に面する外側面とを有する。
【００１６】
傾斜部１４ａおよび１４ｂの各々の内側面は、平坦面をなしかつ互いに正対する。これに対して、傾斜部１４ａおよび１４ｂの各々の外側面は、円筒１２の内周面の曲率に相当する曲率を有し、円筒１２の内周面に面接する。
【００１７】
このように、ノズル１０は、円筒１２の上端が噴流の上流側に配されかつ円筒１２の下端が噴流の下流側に配されるように、フューエルインジェクタの噴射孔に設けられる。また、円筒１２の内側に設けられた傾斜部１４ａおよび１４ｂは、円筒１２の軸回りの同一方向に下り勾配をなす斜面ＳＬ１およびＳＬ２をそれぞれ有し、かつ円筒１２の内周面に接するように湾曲した外側面を有する。
【００１８】
このような構造の傾斜部１４ａおよび１４ｂは円周方向の速度成分を生み出すため、噴射孔から放出された噴霧は、旋回流として円筒１２の下端から放出される。これによって、霧化が促進される。また、ノズル１０は金属製であり、上述のようなノズル構造は上下の型割りで抜けるため、精密鋳造または精密鍛造による大量生産が可能となる。これによって、製造コストの抑制が図られる。
【００１９】
なお、この実施例では、２つの傾斜部１４ａおよび１４ｂを円筒１２の内側に形成するようにしているが、３つ以上の傾斜部を形成するようにしてもよい。
【符号の説明】
【００２０】
１０  …ノズル
１２  …円筒
１４ａ，１４ｂ  …傾斜部
ＳＬ１，ＳＬ２  …斜面
【図１】
2019027333.tif 000003
【図２】
2019027333.tif 000004
(57)【要約】【課題】クラックの幅が０．１ｍｍ以下の場合でも補修することができるコンクリート部材の補修方法を提供する。【解決手段】  コンクリート部材における少なくともクラック部分を、その奥部までを所定温度以上となるように加熱し、クラックの開口側におけるコンクリート部材の表面に、クラックの開口部が閉塞するように補修材を塗布した後に、少なくともクラック部分を冷却するコンクリート部材の補修方法。この補修方法は、プレキャストコンクリート部材の補修に用いるとよい。【選択図】なし【特許請求の範囲】
【請求項１】
コンクリート部材における少なくともクラック部分を、その奥部までを所定温度以上となるように加熱し、クラックの開口側におけるコンクリート部材の表面に、クラックの開口部が閉塞するように補修材を塗布した後に、少なくともクラック部分を冷却することを特徴とするコンクリート部材の補修方法。
【請求項２】
前記コンクリート部材は、プレキャストコンクリート部材であることを特徴とする請求項１記載のコンクリート部材の補修方法。
【発明の詳細な説明】
【技術分野】
【０００１】
本発明は、コンクリート部材の補修方法に関するものである。
【背景技術】
【０００２】
従来、コンクリート部材に、その外側に開口するクラックが生じた場合には、そのクラック内にエポキシ系の補修材を注入して補修することが行われている。
【発明の概要】
【発明が解決しようとする課題】
【０００３】
しかし、コンクリート部材に生じたクラックの幅が０．１ｍｍ以下の場合には、クラック内に補修材を注入することが困難であり、生じたクラックを補修する方法がなかった。
【０００４】
そこで、本発明は、クラックの幅が０．１ｍｍ以下の場合でも補修することができるコンクリート部材の補修方法を提供することを目的とするものである。
【課題を解決するための手段】
【０００５】
前記の課題を解決するために、請求項１記載の発明は、コンクリート部材における少なくともクラック部分を、その奥部までを所定温度以上となるように加熱し、クラックの開口側におけるコンクリート部材の表面に、クラックの開口部が閉塞するように補修材を塗布した後に、少なくともクラック部分を冷却することを特徴とするものである。
【０００６】
請求項２記載の発明は、請求項１記載の発明において、前記コンクリート部材は、プレキャストコンクリート部材であることを特徴とするものである。
【発明の効果】
【０００７】
本発明は、コンクリート部材における少なくともクラック部分を、その奥部までを所定温度以上となるように加熱し、クラックの開口側におけるコンクリート部材の表面に、クラックの開口部が閉塞するように補修材を塗布した後に、少なくともクラック部分を冷却することで、クラック内で圧力変化が生じ、クラックの開口部を閉塞するように塗布した補修材をクラックの奥部まで浸透させることができる。
【０００８】
このように、クラック内の圧力変化を利用してクラックを補修するため、クラックの幅が０．１ｍｍ以下の場合においても、補修材をクラック内に浸透させることができ、クラックを効果的に補修することができる。
【発明を実施するための形態】
【０００９】
本発明を実施するための形態を説明する。
【００１０】
プレキャストコンクリート部材の製造において、プレキャストコンクリート部材の表面側（外側）に開口するクラックが生じた場合には、このプレキャストコンクリート部材を、その全体が収納できる加熱用の窯などに収納して、所定の温度以上となるまで上昇させる。この所定の温度は、任意の温度に設定することができるが、本実施例においては外気温＋３０℃とした。なお、プレキャストコンクリート部材全体を加熱する手段としては、釜以外にも、蒸気による加熱など任意の加熱手段を用いて行うことができる。
【００１１】
次に、クラックの開口部と、プレキャストコンクリート部材におけるクラック周辺の表面部分に補修材を適量塗布し、クラックの開口部を補修材により閉塞する。用いる補修材は、コンクリート部材のクラックの補修に用いられるものであれば任意のものを用いることができるが、オープンタイムが長いものが好ましく、また、補修材に粉体が用いられている場合には、その粒径は０．１ｍｍ未満であることが好ましい。
【００１２】
次に、プレキャストコンクリート部材を窯から取り出して、自然冷却により、プレキャストコンクリート部材が、外気温となるまで放置して自然冷却する。なお、冷却温度は、外気温以外にも任意に設定することができる。また、プレキャストコンクリート部材を、任意の冷却方法を用いて冷却するようにしてもよい。なお、プレキャストコンクリート部材を、その表面に補修材を塗布することなく窯から取り出し、プレキャストコンクリート部材が所定温度以下となる前に、上記のように補修材を塗布するようにしてもよい。
【００１３】
この冷却により、クラック内部の圧力が減少し、補修材が、クラックの奥部まで浸透し、補修材がクラック内の水分や水酸化カルシウムと化学的に反応し、母材と同等の強度を得ることができ、クラックを補修することができる。
【００１４】
このようにクラック内の温度差（圧力差）を利用して補修材を浸透させるため、従来では補修が困難であったクラックの幅が０．１ｍｍ以下と狭い場合にも、クラックの奥にまで補修材を浸透させることができる。また、０．１ｍｍ以下のクラックでも補修できるため、クラックからの水等の侵入を防止し、コンクリート部材内の鉄筋が錆びることを抑制できる。
【００１５】
なお、上記実施例においては、プレキャストコンクリート部材全体を加熱するようにしてが、少なくともクラックの表面から奥部までを所定の温度以上に加熱することができれば、プレキャストコンクリート部材の一部のみを加熱するようにしてもよい。
【００１６】
また、上記実施例においては、本発明を、プレキャストコンクリート部材の製造過程において生じたクラックを補修することに適用したが、プレキャストコンクリート部材の製造過程以外にも、養生中、保管中などにおいて生じたクラックの補修にも適用することができる。
【００１７】
更に、既設のコンクリート部材に生じたクラックに対しても、その少なくともクラックの表面から奥部に亘るまでを、任意の加熱手段を用いて、所定の温度以上に加熱することができれば、任意のコンクリート部材に生じたクラックの補修に対しても、本発明を適用することができる。
(57)【要約】【課題】従来の携帯型の扇風機は首ら箱型の本体を紐で下げて使用する為本体の保持が不安定で、移動や作業時に邪魔で、しかも突起物に紐が引っかかり危険でもあった。又、耳に紐で引っ掛けてネックバンド型としたものがあったが体の負担が大きく長時間の使用ができなかった。【解決手段】ネックバンドで連結された２個の空洞の本体に空気吸入用の小型ファンをそれぞれ組み込み、本体に空気吸込み部より空気を取り込み、本体から首筋や顔に向け開けられた空気吹き出し口から、直接空気を吹き出すことを特徴とする一体型のネックバンド型扇風機である。【選択図】図１
2019105266.tif 000002
【特許請求の範囲】
【請求項１】
ネックバンドで連結された２個の空洞の本体に空気吸入用の小型ファンをそれぞれ組み込み、本体に空気吸込み部より空気を取り込み、本体から首筋や顔に向かって開けられた空気吹き出し口から、直接空気を吹き出すことを特徴とする一体型のネックバンド型扇風機である。
【発明の詳細な説明】
【技術分野】
【０００１】本発明はネックバンドで連結された空洞の本体の内部にファンを用いて空気を取り込み本体に開けられた吹き出し口から空気を吹き出し、首筋や顔を冷却することを特徴とする一体型のネックバンド型扇風機である
【背景技術】
【０００２】近年国内の夏季期間の温度上昇に伴い、屋外や冷房の効かない倉庫内等での作業や屋外を移動する人のため何らかの冷却の手段として、様様な使用形態の扇風機が普及している。
顔や首筋を風で冷却するのは、大きな血管が通っているため暑い時に非常に有効です。
従来は、ヘルメット型や紐等で箱型の扇風機を首から下げて上向きの風を当てて冷やしたり最近では作業着にファンを用いて空気を取り込み冷やすのが一般的でした。
又、帽子型の頭が蒸れる等の課題を解決するために紐を耳に引っ掛けてネックバンド型として背中のファンで首やうなじに風を当てて冷やす特許文献１が知られていた。
【先行技術文献】
【特許文献】
【０００３】
【特許文献１】特開２０１１−１０４７１７号公報
【発明の概要】
【発明が解決しようとする課題】
【０００４】特許文献１に開示されているネックバンド型扇風機は、耳に紐で引っ掛けて扇風機を保持して使用する為に使用時耳に全荷重がかかり装着者の体に負担がかかるため、長時間使用には適さない。しかも装着時の見た目も良くない。
ファン付き作業着は、作業によっては使用できないことが多い、一般的に販売されている紐で扇風機本体を首から下げて使用するものは作業するときに本体の保持が本体の保持が不安定な為に作業時や移動時に著しく作業性が悪く、作業によっては危険で使用することができなかった。
また冷却風の吹き出し口から首や顔が離れているため、かなり強力な風を送らないと涼しいと感じなかった。
そこで、本発明は装着者にネックバンド型扇風機の装着時の体にかかる負担を減らし保持している耳が痛くならなくし長時間使用可能とし、装着時に紐等で下げないので装着者が扇風機を装着した状態で移動しても、保持している紐が構造物等に引っかかることもなく危険を低減することができる一体型のネックバンド型扇風機を提供することを目的とする
【課題を解決するための手段】
【０００５】ネックバンドで連結された２個の空洞の本体に空気吸入用の小型ファンをそれぞれ組み込み、本体に空気を取り込み、本体から首筋や顔に向かって開けられた空気吹き出し口から、直接空気を吹き出すことを特徴とする一体型の小型軽量のネックバンド型扇風機である。
又さらにシンプルにするために短時間使用時用の、バッテリーを本体に組み込んだものもあることも特徴とする小型軽量のネックバンド型扇風機である。
【発明の効果】
【０００６】本発明は一体型なのでネックバンド型扇風機装着者に、装着時の体にかかる負担を減らし長時間使用可能とし、紐等で本体をぶら下げないので作業性が良くなり、危険性も低減して色々な作業時使用可能となり、。一体型のネックバンド型なので空気の吹き出し口も首筋や顔のすぐ近くなので弱い風でも涼しく感じ、ファッション性も良いので使用場所を選びません。
【図面の簡単な説明】
【０００７】
【図１】本発明の斜視図
【図２】本発明装着時のイメージ部分斜視図
【図３】本発明動作時の空気の流れのイメージ図
【発明を実施するための形態】
【０００８】以下は本発明の実施の形態を説明する
（イ）図１に示すように空気吸込み部１の内部に小型ファンが内蔵されており、空洞の本体８に空気を吸入します。
（ロ）吸入した空気は首筋や顔に向けた空気吹き出し口２から冷却用に空気を吹き出します。
（ハ）電源内蔵のタイプは本体８に内蔵された充電池で動作し、外部電源接続口５の部分に外部電源を接続して充電しながらも動作します。
（ニ）電源内蔵していないタイプは  外部電源接続口５の部分に外部電源を接続して使用します。
（ホ）電源スイッチ４でファンの電源を入、切、強弱切り替えをします。
（ヘ）本体８を繋ぐバンド部分３は、Ｕ字型の形状をし、変形可能な材料でできている。
【０００９】本発明を使用するときはバンド部分３を変形させて首にかけて、電源内蔵していないタイプは  外部電源接続口５の部分に外部電源を接続します。
電源内蔵のタイプは、そのまま電源スイッチ４で電源を入れ、必要に応じて風量を調整します。
空気吸込み部１の内部に内蔵した小型ファンが回転して冷却用の空気を吸い込みます。
吸入した空気は、首筋や顔に向かって開けられた空気吹き出し口２の多数の穴から冷却用の風を吹き出します。
【符号の説明】
【００１０】１、空気吸込み部
２、空気吹き出し口
３、バンド部分
４、電源スイッチ（強弱切替付き）
５、外部電源接続口
６、顔部分
７、首部分
８、本体
【図１】
2019105266.tif 000003
【図２】
2019105266.tif 000004
【図３】
2019105266.tif 000005